(57)【特許請求の範囲】
【請求項１】
スライダー本体（１８）に着脱自在に装着され、円板状カッター刃（６）を収容したカッター刃カセット（１９）を固定する位置決め凹部（２８ｃ）を設けたカセット装着具（２０）であって、
該カセット装着具（２０）は、前記カッター刃（６）の一部を露出させるように一部欠けた円形に形成され、つまみ（３１）により回動される円弧板（３０）と、前記カッター刃（６）の一部が露出しないように前記円弧板（３０）の回動をロックするストッパ（３５）と、を備え、前記ストッパ（３５）は、前記スライダー本体（１８）に設けたピン（３９）により押圧され、前記ストッパ（３５）をロック解除方向に回動させるテーパ面（３８ａ）を有することを特徴とするカセット装着具。
【発明の詳細な説明】
【０００１】
【発明の属する技術分野】
Ａ３判、Ｂ５判等の大きさの紙を裁断する紙裁断機は、カッター刃をスライドさせて裁断するものが多く、このようなカッター刃は取扱い上、ケースに入れて所持されるが、カッター刃の装着段階ではケースから取り出すことになる。
本発明は、装着段階でも直接カッター刃に触れない構造のカッター刃カセットのカセット装着具に関するものである。
【０００２】
【従来の技術】
従来の紙裁断機の一例を図１６を参照して説明する。紙裁断機１は、紙載置台２に紙押当板３とレール４が併設され、レール４にスライダー５が設けられ、スライダー５を動かすことで内蔵するカッター刃６により紙Ｗ（図１７参照）を裁断するようになっている。
【０００３】
図１６、図１７に示すように、スライダー５はスライド部７によってレール４に挟持されて移動する。また、トップカバー８はスライド部７に対しスプリング９（図１７参照）の付勢力で上位置に停止され、裁断時にトップカバー８を矢印方向に押圧することで、連結したホルダー１０およびカッターカバー１１が降下しカッター刃６が紙Ｗに届くようになる。
図１６に示すように、カッターカバー１１は中央につまみ１２を突設させ、左右に孔（図示略）が開けられており、図１７に示すボルト１０ａがカッターカバー１１の左右の孔に挿通され、図１６のつまみナット１２ａで締結されるようになっている。カッターカバー１１にはねじ１１ａによって軸１１ｂが装着され、軸１１ｂに六角カラー１１ｃを介してカッター刃６が取り付けられる。
【０００４】
紙裁断機１には円板状のカッター刃６が使用され、図１８に示すように、単体で収容するケース１３を備えている。
ケース１３は、２枚のプレートを一対のピン１４によって開閉自在に係合したもので、カッター刃６を挿入する挟持部１５と、カッター刃６の六角孔６ａに入る円形凸部１６が形成され、作業性を考慮したＵ字状溝１７を設けている。
【０００５】
【発明が解決しようとする課題】
ところで、紙裁断機１にカッター刃６を装着する場合、ケース１３を開けた時に、ケース面が傾いているとカッター刃６が落ちて紙裁断機１の設置面等に張り付くことになり、カッター刃６を拾い上げることが厄介である。また、取り付けの際、カッター刃６は周縁が刃になっているので作業しづらく取扱いに注意を要する。
交換においても、まず、紙裁断機１から取り外したカッター刃６は取扱いの便宜のためにもケース１３に収容することが良いが、装着時と同様に、作業しづらいものである。また、空のケース１３を用意する必要がある。
【０００６】
本発明は、カッター刃を直接触れないで簡単に装着、交換作業ができるようにしたカッター刃カセットのカセット装着具を提供することを目的とする。
【０００７】
【課題を解決するための手段】
本発明は上記目的を達成するために、請求項１のカセット装着具に係る発明は、スライダー本体（１８）に着脱自在に装着され、円板状カッター刃（６）を収容したカッター刃カセット（１９）を固定する位置決め凹部（２８ｃ）を設けたカセット装着具（２０）であって、該カセット装着具（２０）は、カッター刃（６）の一部を露出させるように一部欠けた円形に形成され、つまみ（３１）により回動される円弧板（３０）と、カッター刃（６）の一部が露出しないように円弧板（３０）の回動をロックするストッパ（３５）と、を備え、ストッパ（３５）は、スライダー本体（１８）に設けたピン（３９）により押圧され、ストッパ（３５）をロック解除方向に回動させるテーパ面（３８ａ）を有することを特徴とする。
【０００８】
ハウジングに収容されたカッター刃は、周面の一部がハウジングから突出するが、周面の一部が別部材で覆われ、カセット装着具に装着した時にのみ、別部材が移動可能になる。そして、つまみ誘導体を回してカッター刃の周面の一部を露出させ、紙裁断機を使用可能な状態にする。また、カッター刃の取扱いはハウジングを単体で扱えるので簡単になる。
【０００９】
【発明の実施の形態】
以下、本発明の実施の形態を添付図面に基づいて説明する。
紙裁断機は、概略、図７に示すように、紙載置台２の上面に設けたレール４にスライダー本体１８が移動自在に嵌合し、スライダー本体１８の上部にスプリング９を介してトップカバー８が設けられている。また、スライダー本体１８にはカッター刃カセット１９を装着したカセット装着具２０が取り付けられるようになっており、図８に示す一対のアーム２１（片側を図示）で挟持される。
【００１０】
図１に示すカッター刃カセット１９は、カッター刃６が円板状に形成され、プラスチック製の四角いハウジング２２から一部周縁を突出させ、覆い（保護板２３）を設けたものである。図１の（ａ）に示すように、ハウジング２２は側面と上面が開口した収容部２２ａと上面を覆う蓋部２２ｂとからなり、収容部２２ａに図１の（ｂ）に示す軸受２４が形成され、軸２５はカッター刃６の中心に開けた六角孔と保護板２３に挿通されている。また、収容部２２ａと蓋部２２ｂは側面の係合溝２２ｃを介して嵌め込み式で一体的に構成される。
【００１１】
カッター刃６の突出部を覆う保護板２３は、カッター刃６と当接する大円部２３ａと四角い凹部２３ｂを有する小円部２３ｃとが二段に重なった円板状を呈しており、小円部２３ｃが蓋部２２ｂに回動自在に嵌め込まれ、図５に示すように、大円部２３ａはカッター刃６の径より大きい箇所（大径円弧部２６ａ）と小さい箇所（小径円弧部２６ｂ）を備えている。したがって、図１の（ｂ）に示すように、大径円弧部２６ａが露出しているときはカッター刃６が保護され（図９参照）、保護板２３を回転して小径円弧部２６ｂが露出しているときはカッター刃６の使用可能な状態になっている（図１０参照）。
【００１２】
図２に示すカセット装着具２０は枠体２７と隔壁２８とを係合溝２７ａを介して嵌め込み式で一体的に構成され、内部につまみ誘導体２９が回動自在に設けられている。また、隔壁２８にピン孔２８ａと一対のアーム溝孔２８ｂとが形成され、紙裁断機１のスライダー本体１８に取り付けられる構造になっている。隔壁２８はカッター刃カセット１９を載置する凹部２８ｃが形成され、カッター刃カセット１９との当接面に円形の孔２８ｄが開いている。また、つまみ誘導体２９を回動自在に設けるため、図３に示すように、枠体２７にも一部欠けた円形の孔２７ｂが形成されている。
【００１３】
図３、図９に示すように、つまみ誘導体２９は円弧板３０とつまみ３１をねじで結合したもので、つまみ３１の内側の小径部３２が枠体２７の孔２７ｂに摺接する。また、つまみ３１を枠体２７に整合させた状態で円弧板３０と締結させることにより、これらが一体化される。円弧板３０は凹部２８ｃ側の面に円台３３が形成され、円台３３上に四角台３４が形成され、中心に孔３０ａが開けられている。円台３３は隔壁２８の孔２８ｄと摺接され、四角台３４はカッター刃カセット１９の四角い凹部２３ｂに嵌合するようになっている。また、四角台３４の中心の孔３０ａは軸２５が挿通される。
【００１４】
図２ないし図４に示すように、つまみ誘導体２９の円弧板３０とつまみ３１は一部欠けた円形を呈しており、カッター刃６が露出するときはこの面が揃うようになっている。すなわち、図１の（ｂ）の状態のカッター刃カセット１９を図２の状態のカセット装着具２０に装着し（図５，図９参照）、つまみ３１を矢印方向に回すことにより、四角台３４と四角い凹部２３ｂが連結しているので、保護板２３も回転してカッター刃６が露出することになる（図１０参照）。このとき、図４に示す円弧板３０に形成した溝３０ｂおよび段部３０ｃがそれぞれの開閉位置でストッパ３５に係止され、回転操作の過不足をなくしている。符号３６は板ばねであり、３７は回動軸である。
【００１５】
次に、紙裁断機１のスライダー５に装着したときに、カッター刃６を露出させることができる構造を説明する。
図４に示すように、円弧板３０の溝３０ｂにストッパ３５が係合した状態では、接触面が傾斜していることによって、その方向に係合が外れる場合があるが、周方向の力がストッパ３５の外れる方向と異なっていれば円弧板３０は回転できず、カッター刃６も露出しない。
図６（ａ）に示すように、ストッパ３５の軸部３８に周方向に傾斜するテーパ面３８ａを形成し、スライダー本体１８のピン３９をカセット装着具２０の装着のときにテーパ面３８ａに圧接させるようにする。これにより、ピン３９が隔壁２８のピン孔２８ａに挿入され、スライダー本体１８のピン３９によりストッパ３５の軸部３８のテーパ面３８ａを押圧するとストッパ３５が回転して溝３０ｂから離れ、つまみ誘導体２９を回転させてカッター刃６を露出させることができる。また、図６（ｂ）に示すストッパ３５は一対のテーパ面３８ａを備えたもので、スライダー本体１８側のピン３９の形状もこれに対応させている。
このようにすることで、カッター刃カセット１９をカセット装着具２０に装着するだけでなく、スライダー本体１８に装着することでカッター刃６を露出させるので、装着過程においてカッター刃６を手で持つようなことはなくなり、装着、交換作業が簡単になる。
【００１６】
図１１、図１２に示すスライダー本体１８は、上面が円弧状に形成されたものである。このスライダー本体１８は、図２に示すカセット装着具２０を取り付けたときに、上部の円弧形状が揃っているので、装着感、外観を向上させる。
【００１７】
次に、他の実施の形態について、図１３ないし図１５を参照して説明する。
前述の構成と異なるところは、スライダー本体１８にトップカバー８がねじ４０で固定されているところである。これに伴い、スライダー本体１８の側面に併設したロック板４１に円形孔４１ａと一対のアーム４２を備え、カッター刃カセット１９の軸受２４を円形孔４１ａに挿通して支持し、カセット装着具２０を一対のアーム４２で挟持するようになっている。なお、図１５に示す枠体２７内のストッパ４３はカセット装着具２０がスライダー本体１８に対してがたつかないためのものである。
紙を裁断するときには、カッター刃６の先端が紙押当板３から突出した位置にあるので、使わないときには保護板２３を出してカッター刃６を覆うようにしておき、裁断時には、一旦、レール４の端部にスライダー５を置いておくようにする。
【００１８】
【発明の効果】
以上のように構成したことにより、請求項１のカセット装着具に係る発明は、カッター刃の一部を露出させるように一部欠けた円形に形成され、つまみにより回動される円弧板と、カッター刃の一部が露出しないように円弧板の回動をロックするストッパとを備え、該ストッパは、スライダー本体に設けたピンにより押圧され、ストッパをロック解除方向に回動させるテーパ面を有するので、カッター刃カセットをカセット装着具に装着する際にカッター刃は露出することはなく、カセット装着具をスライダー本体に装着した場合だけ、円弧板の回動をロックするストッパがスライダー本体に設けたピンにより押圧されて円弧板のロックが解除されて、カッター刃を露出させることができるようになる。
したがって、カッター刃カセット及びカセット装着具の取扱いが容易となる。
【図面の簡単な説明】
【図１】本発明による実施の形態のカッター刃カセットを（ａ）、（ｂ）で示す斜視図である。
【図２】本発明の実施の形態のカセット装着具の斜視図である。
【図３】本発明の実施の形態のカッター刃カセットを装着したカセット装着具の斜視図である。
【図４】図２のカセット装着具の内部側面図である。
【図５】図３のカセット装着具の側面図である。
【図６】図４に示すストッパを、２例（ａ），（ｂ）で示す説明図である。
【図７】本発明の実施の形態の紙裁断機の断面図である。
【図８】図７に示すスライダー本体の側面図である。
【図９】図７のカッター刃カセットとカセット装着具の側断面図である。
【図１０】図７のカッター刃カセットとカセット装着具の側断面図である。
【図１１】本発明の他の実施の形態のスライダー本体の側面図である。
【図１２】図１１のスライダー本体の断面図である。
【図１３】本発明の他の実施の形態のスライダーの側面図である。
【図１４】図１３のスライダーの断面図である。
【図１５】図１３のスライダーの平面断面図である。
【図１６】従来のスライダーの側面図である。
【図１７】図１６のスライダーの一部展開した状態の断面図である。
【図１８】従来のカッター刃のケースの斜視図である。
【符号の説明】
１      紙裁断機
２      紙載置台
３      紙押当板
４      レール
５      スライダー
６      カッター刃
６ａ    六角孔
７      スライド部
８      トップカバー
９      スプリング
１０    ホルダー
１０ａ  ボルト
１１    カッターカバー
１１ａ  ねじ
１１ｂ  軸
１１ｃ  六角カラー
１２    つまみ
１２ａ  つまみナット
１３    ケース
１４    一対のピン
１５    挟持部
１６    円形凸部
１７    Ｕ字状溝
１８    スライダー本体
１９    カッター刃カセット
２０    カセット装着具
２１    一対のアーム
２２    ハウジング
２２ａ  収容部
２２ｂ  蓋部
２２ｃ  係合溝
２３    保護板（覆い）
２３ａ  大円部
２３ｂ  凹部（四角い凹部）
２３ｃ  小円部
２４    軸受
２５    軸（同心軸）
２６ａ  大径円弧部
２６ｂ  小径円弧部
２７    枠体
２７ａ  係合溝
２７ｂ  孔（一部欠けた円形の孔）
２８    隔壁
２８ａ  ピン孔（挿通孔）
２８ｂ  アーム溝孔
２８ｃ  凹部
２８ｄ  孔（円形の孔）
２９    つまみ誘導体
３０    円弧板
３０ａ  孔
３０ｂ  溝
３０ｃ  段部
３１    つまみ
３２    小径部
３３    円台
３４    四角台
３５    ストッパ（ロック機構、係止部）
３６    板ばね
３７    回動軸
３８    軸部
３８ａ  テーパ面
３９    心棒（ピン）
４０    ねじ
４１    ロック板
４１ａ  円形孔
４２    一対のアーム
４３    ストッパ
【図１】
0003951159.tif 000002
【図２】
0003951159.tif 000003
【図３】
0003951159.tif 000004
【図４】
0003951159.tif 000005
【図５】
0003951159.tif 000006
【図６】
0003951159.tif 000007
【図７】
0003951159.tif 000008
【図８】
0003951159.tif 000009
【図９】
0003951159.tif 000010
【図１０】
0003951159.tif 000011
【図１１】
0003951159.tif 000012
【図１２】
0003951159.tif 000013
【図１３】
0003951159.tif 000014
【図１４】
0003951159.tif 000015
【図１５】
0003951159.tif 000016
【図１６】
0003951159.tif 000017
【図１７】
0003951159.tif 000018
【図１８】
0003951159.tif 000019